(57)【特許請求の範囲】
【請求項１】
有線電話機用内線ポートを備えた有線内線インターフェース部と、
無線電話機用内線ポートを備えた無線内線インターフェース部と、
通話路を接続あるいは解放する通話路手段と、
それぞれの前記無線電話機用内線ポートの番号に関連づけて前記有線電話機用内線ポートの番号を併設登録するためのテーブルを備えた内線ポート状態記憶手段と、
前記無線電話機用内線ポートが既にオフフック状態であるとき前記テーブルに併設登録された前記有線電話機用内線ポートのオフフック情報を無視するように制御する制御手段とを有することを特徴とする電話交換機。
【請求項２】
有線電話機用内線ポートを備えた有線内線インターフェース部と、
無線電話機用内線ポートを備えた無線内線インターフェース部と、
通話路を接続あるいは解放する通話路手段と、
それぞれの前記無線電話機用内線ポートの番号に関連づけて前記有線電話機用内線ポートの番号を併設登録するためのテーブルを備えた内線ポート状態記憶手段と、
前記有線電話機用内線ポートが既にオフフック状態であるとき前記テーブルに併設登録された前記無線電話機用内線ポートのオフフック情報を無視するように制御する制御手段とを有することを特徴とする電話交換機。
【請求項３】
有線電話機用内線ポートを備えた有線内線インターフェース部と、
無線電話機用内線ポートを備えた無線内線インターフェース部と、
通話路を接続あるいは解放する通話路手段と、
それぞれの前記無線電話機用内線ポートの番号に関連づけて前記有線電話機用内線ポートの番号を併設登録するためのテーブルを備えた内線ポート状態記憶手段と、
有線電話機が操作されたのか無線電話機が操作されたのかを判別する操作電話機種別判別手段と、
併設登録関係にある前記有線電話機と前記無線電話機において、併設登録他者電話機が操作中であるときに併設登録自者電話機を操作しようとしたときは併設登録他者が操作中であることを併設登録自者電話機へ通知するように制御する制御手段とを有することを特徴とする電話交換機。
【請求項４】
ビジートーン音源手段を有し、前記通話路手段を前記ビジートーン音源手段に接続して前記通知を行うことを特徴とする請求項３記載の電話交換機。
【請求項５】
有線電話機用内線ポートを備えた有線内線インターフェース部と、
無線電話機用内線ポートを備えた無線内線インターフェース部と、
通話路を接続あるいは解放する通話路手段と、
それぞれの前記無線電話機用内線ポートの番号に関連づけて前記有線電話機用内線ポートの番号を併設登録するためのテーブルを備えた内線ポート状態記憶手段と、
内線ポートに接続された有線電話機または無線電話機の状態がオフフック中であるときにどちらの電話機がオフフックしているかを記憶しておく使用中電話機種別記憶手段と、
内線電話機が使用している通話路を記憶しておく使用中通話路記憶手段と、
併設登録関係にある有線電話機と無線電話機において、併設登録他者電話機が操作中であるときに併設登録自者電話機が操作すると併設登録他者の通話に割り込ませるように制御し、その後の通話中に前記併設登録関係にある前記有線電話機または前記無線電話機のいずれか一方をオンフックしても他方がオフフックしていればその通話を保持するように制御する制御手段とを有することを特徴とする電話交換機。
【請求項６】
有線電話機用内線ポートを備えた有線内線インターフェース部と、
無線電話機用内線ポートを備えた無線内線インターフェース部と、
通話路を接続あるいは解放する通話路手段と、
それぞれの前記無線電話機用内線ポートの番号に関連づけて前記有線電話機用内線ポートの番号を併設登録するためのテーブルを備えた内線ポート状態記憶手段と、
呼び出し先の内線が併設登録されている場合に同時呼び出しを行うか否かを記憶しておく同時呼出設定手段と、
併設登録されている内線ポートが呼び出されたとき前記同時呼出設定手段に従って呼び出し動作をするように制御する制御手段とを有し、
前記制御手段は、前記同時呼び出しを設定された前記有線電話機または前記無線電話機のいずれか一方から他方へ呼び出しを行う場合は、前記同時呼び出しの設定を無視して前記他方のみを呼び出すように制御することを特徴とする電話交換機。
【発明の詳細な説明】
【０００１】
【発明の属する技術分野】
本発明は電話交換機に関するものである。
【０００２】
【従来の技術】
近年、例えば会社や事業所等の構内に設置される電話交換機には、無線通信部が設けられ、有線電話機の他に携帯可能な無線電話機を内線端末として登録して使用できるものが開発されている。
【０００３】
また無線電話機としては、事業所内の構内交換機としか通信出来ない専用機である場合もあれば、構内交換機専用ではなく、自宅内のコードレス電話親機や外部の公衆基地局にもアクセス可能な機能を有するものもある。
【０００４】
ところで、今後、社員個人に無線電話機を貸与し、各社員が常時無線電話機を携帯して仕事をするような業務形態が増えると予測される。もし無線電話機が、プライベート使用も許された条件で会社から貸与されたものであれば、社員はその無線電話機を常時携帯し、仕事上で使用するだけでなく、仕事時間以外にプライベートな用事で使用することもある。
【０００５】
【発明が解決しようとする課題】
しかしながら、多くの社員が会社から無線電話機の貸与を受けた場合、会社内の構内交換機にも多数の無線電話機を内線端末として登録し、内線ダイヤル番号を振り分けることになる。机上に置かれる有線電話機にもそれぞれ個別に内線ダイヤル番号が与えられるので、構内交換機には多数の内線ダイヤル番号を管理させる必要があり、しかも机上に置かれる有線電話機の内線ダイヤル番号と、同じ社員が使用する無線電話機の内線ダイヤル番号とが異なっておれば、他者が電話をかける際に混乱することが考えられる。
【０００６】
またこのように一人に有線電話機と無線電話機の２台が割り当てられている場合、机上では有線電話機を使用し、離席する時には無線電話機を使用したいものである。しかしながら有線電話機にて通話中に離席して他の部屋等へ移動したい場合、従来は有線電話機上のキーによって転送の指示を入力し、さらに無線電話機の内線ダイヤル番号を入力するという操作が必要であった。
【０００７】
本発明は上記従来技術に鑑みてなされたもので、無線電話機と有線電話機を関連づけて登録して一方の内線ダイヤル番号を指定するだけでどちらの電話機でも動作させることができ、例えば無線電話機と有線電話機の個別呼出や、転送などの機能を使う際に再度内線ダイヤル番号を入力する必要がなく、使い勝手を良くすることが可能な電話交換機を提供する事を目的とする。
【０００８】
【課題を解決するための手段】
本発明の電話交換機においては、それぞれの無線電話機用内線ポートの物理番号に関連づけて有線電話機用内線ポートの物理番号を併設登録するためのテーブルを備えた内線ポート状態記憶手段と、ある内線ダイヤル番号を与えて互いに併設登録された無線電話機用内線ポートまたは有線電話機用内線ポートの一方を動作させる場合には他方の内線ポートについても他の内線ダイヤル番号を与えることなく動作可能なように制御する制御手段とを設けた。
【０００９】
この発明によれば、内線電話機として用いられる無線電話機と有線電話機を関連づけて登録して一方の内線ダイヤル番号を指定するだけでどちらの電話機でも動作できるようになる。
【００１０】
【発明の実施の形態】
本発明の第１の発明は、有線電話機用内線ポートを備えた有線内線インターフェース部と、無線電話機用内線ポートを備えた無線内線インターフェース部と、通話路を接続あるいは解放する通話路手段と、それぞれの無線電話機用内線ポートの番号に関連づけて有線電話機用内線ポートの番号を併設登録するためのテーブルを備えた内線ポート状態記憶手段と、無線電話機用内線ポートが既にオフフック状態であるときテーブルに併設登録された有線電話機用内線ポートのオフフック情報を無視するように制御する制御手段とを有することを特徴とする電話交換機であり、あるいは、有線電話機用内線ポートが既にオフフック状態であるときテーブルに併設登録された無線電話機用内線ポートのオフフック情報を無視するように制御する制御手段とを有することを特徴とする電話交換機であって、併設登録関係にある有線電話機と無線電話機において、一方の内線ダイヤル番号を指定するだけで両方の電話機が動作できるという作用を有する。
【００１１】
本発明の第２の発明は、有線電話機用内線ポートを備えた有線内線インターフェース部と、無線電話機用内線ポートを備えた無線内線インターフェース部と、通話路を接続あるいは解放する通話路手段と、それぞれの無線電話機用内線ポートの番号に関連づけて有線電話機用内線ポートの番号を併設登録するためのテーブルを備えた内線ポート状態記憶手段と、有線電話機が操作されたのか無線電話機が操作されたのかを判別する操作電話機種別判別手段と、併設登録関係にある有線電話機と無線電話機において、併設登録他者電話機が操作中であるときに併設登録自者電話機を操作しようとしたときは併設登録他者が操作中であることを併設登録自者電話機へ通知するように制御する制御手段とを有することを特徴とする電話交換機であり、特に、ビジートーン音源手段を有し、通話路手段をビジートーン音源手段に接続して通知を行うことを特徴とする電話交換機であって、併設登録関係にある有線電話機と無線電話機において、併設登録他者電話機が操作中であるときに併設登録自者電話機が操作しようとしたときには、併設登録他者が操作中であることを通知できるという作用を有する。
【００１２】
本発明の第３の発明は、有線電話機用内線ポートを備えた有線内線インターフェース部と、無線電話機用内線ポートを備えた無線内線インターフェース部と、通話路を接続あるいは解放する通話路手段と、それぞれの無線電話機用内線ポートの番号に関連づけて有線電話機用内線ポートの番号を併設登録するためのテーブルを備えた内線ポート状態記憶手段と、内線ポートに接続された有線電話機または無線電話機の状態がオフフック中であるときにどちらの電話機がオフフックしているかを記憶しておく使用中電話機種別記憶手段と、内線電話機が使用している通話路を記憶しておく使用中通話路記憶手段と、併設登録関係にある有線電話機と無線電話機において、併設登録他者電話機が操作中であるときに併設登録自者電話機が操作すると併設登録他者の通話に割り込ませるように制御し、その後の通話中に併設登録関係にある有線電話機または無線電話機のいずれか一方をオンフックしても他方がオフフックしていればその通話を保持するように制御する制御手段とを有することを特徴とする電話交換機であって、併設登録関係にある有線電話機と無線電話機において、他者電話機が操作中であるときでも自者電話機が操作すれば他者電話機の通話に割り込むことができ、その後の通話中に併設登録のどちらか一方がオンフックしても、もう片方がオフフックしていればその通話を保持できるという作用を有する。
【００１３】
本発明の第４の発明は、有線電話機用内線ポートを備えた有線内線インターフェース部と、無線電話機用内線ポートを備えた無線内線インターフェース部と、通話路を接続あるいは解放する通話路手段と、それぞれの無線電話機用内線ポートの番号に関連づけて有線電話機用内線ポートの番号を併設登録するためのテーブルを備えた内線ポート状態記憶手段と、呼び出し先の内線が併設登録されている場合に同時呼び出しを行うか否かを記憶しておく同時呼出設定手段と、併設登録されている内線ポートが呼び出されたとき同時呼出設定手段に従って呼び出し動作をするように制御する制御手段とを有し、前記制御手段は、前記同時呼び出しを設定された前記有線電話機または前記無線電話機のいずれか一方から他方へ呼び出しを行う場合は、前記同時呼び出しの設定を無視して前記他方のみを呼び出すように制御することを特徴とする電話交換機であり、特に、同時呼び出しを設定された有線電話機または無線電話機のいずれか一方から他方へ呼び出しを行う場合は、同時呼び出しの設定を無視して他方のみを呼び出すように制御する制御手段を有することを特徴とする電話交換機であって、併設登録関係にある有線電話機と無線電話機において、その内線ポートの有線電話機と無線電話機を同時に両方呼び出せるという作用を有する。
【００１４】
本発明の第５の発明は、有線電話機用内線ポートを備えた有線内線インターフェース部と、無線電話機用内線ポートを備えた無線内線インターフェース部と、通話路を接続あるいは解放する通話路手段と、それぞれの前記無線電話機用内線ポートの番号に関連づけて前記有線電話機用内線ポートの番号を併設登録するためのテーブルを備えた内線ポート状態記憶手段と、呼び出しのための内線番号と共に有線電話機呼出用の内線番号と無線電話機呼出用の内線番号とを関連付けて登録しておき、発呼者から送られて来た内線番号が前記有線電話機呼出用であるか前記無線電話機呼出用であるかを判別する呼出先電話機種別判別手段と、併設登録された内線を呼び出す際は前記呼出先電話機種別判別手段に従って有線電話機または無線電話機を個別に呼び出すように制御する制御手段とを有することを特徴とする電話交換機であって、併設登録関係にある有線電話機と無線電話機において、その内線ポートの有線電話機と無線電話機を個別に呼び出せるという作用を有する。
【００１５】
以下本発明の実施の形態について、図面を参照しながら説明する。
（実施の形態１）
図１は本発明の実施の形態１における電話交換機のブロック図を示す。図１において、１００は本発明の実施の形態１の電話交換機であり、例えば会社や事業所等の構内に設置される。００６ａ，００６ｂ〜は電話交換機１００の有線内線ポートに接続された有線電話機である。００８ａ，００８ｂ〜は電話交換機１００の無線内線ポートを介して無線通話を可能にする無線電話機である。本実施の形態の無線電話機（００８ａ，００８ｂ，〜）は、電話交換機１００の専用ではなく、例えば自宅内のコードレス電話装置の親機（ベースユニット）や外部の公衆基地局にもアクセス可能な機能を有する。
【００１６】
電話交換機１００において、００２は局線００１とのインターフェースを司る局線インターフェース部００２、００５は有線電話機（００６ａ，００６ｂ〜）とのインターフェースを司る有線内線インターフェース部、００７は無線電話機（００８ａ，００８ｂ，〜）とのインターフェースを司る無線内線インターフェース部、００３は内線間または局線−内線間の音声通話路を形成する通話路手段である。また０２１はダイヤルトーン信号を発するダイヤルトーン音源、０２２はビジートーン信号を発するビジートーン音源である。
【００１７】
０１０は制御部であり、この制御部０１０は有線内線インターフェース部００５と無線内線インターフェース部００７および局線インターフェース部００２を介して送られてくる情報を解析して電話交換機内の各部を制御する。
【００１８】
図４は本実施の形態における制御部０１０の中の構成および制御の流れを示したものである。図４において、１０１は無線内線インターフェース部００７からの情報を有線電話機情報へと変換する無線内線情報変換手段１０１である。また００９は内線ポートの状態を記憶しておく内線ポート状態記憶手段である。本実施の形態ではこのように制御部０１０の中に、内線ポート状態記憶手段００９、無線内線情報変換手段１０１が設けられている。
【００１９】
内線ダイヤル番号は各内線の内線物理番号に関連して登録され、図２に示すように内線ポート状態記憶手段００９の中に各内線の内線物理番号と内線ダイヤル番号との対応を示すテーブルが設けられている。図２は内線物理番号と内線ダイヤル番号との対応を示すテーブルの一例であり、内線ポート＃０００〜＃０１５は無線電話機のためのポートであり、内線ポート＃０１６〜＃０２４は有線電話機のための線ポートである。図２に示す例では、例えば無線電話機用内線ポート＃０００に内線ダイヤル番号「３０１」が登録され、無線電話機用内線ポート＃００１には内線ダイヤル番号「３０２」が登録されている。また有線電話機用内線ポート＃０１６には内線ダイヤル番号「４０２」が登録されている。
【００２０】
また内線ポート状態記憶手段００９の中には、図３に示すように各無線電話機用内線ポートの物理番号に関連づけて有線電話機用内線ポートの物理番号を登録するための併設登録テーブルが設けられており、ある無線電話機と有線電話機の２台を併設する場合にはその無線電話機の無線内線物理番号に関連づけて併設対象の有線内線物理番号を書き込む。図３に示す例では、例えば無線内線物理番号＃０００に関連づけて有線内線物理番号＃０１６が書き込まれ、物理番号＃０００の無線電話機と物理番号＃０１６の有線電話機が併設登録されている。この内線ポート状態記憶手段００９により、一つの内線ポートに複数の有線電話機００６ａ，００６ｂ〜）のなかの一つと複数の無線電話機（００８ａ，００８ｂ，〜）のなかの一つとを併設登録させ、一方の内線ダイヤル番号を指定するだけでどちらの電話機でも動作できるように構成されている。
【００２１】
また内線ポート状態記憶手段００９は、その時の各内線ポートの状態すなわちオンフック状態であるか、またはオフフック状態であるかの情報を記憶可能である。
【００２２】
図６は、本実施の形態において併設登録された内線ポートの内線電話機がオフフックした際の動作を示すフローチャートである。
【００２３】
図４および図６において、併設登録された内線ポートの有線電話機００６ａがオフフック（図６：ｓｔｅｐ１０１）した場合、有線電話機００６ａからのオフフック情報は有線内線インターフェース部００５を経由し、通話用線を通して、主制御手段００４に送られる。主制御手段００４は内線ポート状態記憶手段００９における内線ポートの現在の状態をチェック（ｓｔｅｐ１０３）し、それまでの当該内線ポートの状態がオンフック状態であるならば通常のオフフック状態移行処理（ｓｔｅｐ１０５）を実行する。
【００２４】
オフフック状態移行処理では、有線内線インターフェース部００５を介して有線電話機００６ａがオフフック状態になるように制御し、さらに主制御手段００４の指示により通話路手段００３は有線電話機００６ａとダイヤルトーン音源０２１とを結ぶためのポイントを接続する。また内線ポート状態記憶手段００９に当該内線ポートがオフフック状態になったことを示す情報を記憶する。
【００２５】
前記内線ポート状態が既にオフフック中（併設登録の無線電話機００８ａがオフフック）ならば、前記有線電話機オフフック情報は無視される（ｓｔｅｐ１０４）。
【００２６】
また、併設登録された内線ポートの無線電話機００８ａがオフフック（ｓｔｅｐ１０１）した場合、無線電話機００８ａからのオフフック情報は無線内線インターフェース部００７を経由し、通話用線を通して、主制御手段００４に送られるが、その際に無線内線情報変換手段１０１によって、前記無線電話機オフフック情報は有線電話機００６ａから送られるものと同じフォーマットの情報へと変換（ｓｔｅｐ１０２）される。
【００２７】
図５は電話機情報の各イベントフォーマットを示す。１１１は有線電話機（００６ａ，００６ｂ〜）から有線内線インターフェース部００５を経由して主制御手段００４に送られる際の有線イベントフォーマットであり、１１２は無線電話機（００８ａ，００８ｂ，〜）から無線内線インターフェース部００７に送られる際の無線イベントフォーマットである。また、１１３は無線内線インターフェース部００７から主制御手段００４への変換後の無線イベントフォーマットである。
【００２８】
図３に示すように、無線内線物理番号＃０００に関連づけて有線内線物理番号＃０１６が書き込まれ、物理番号＃０００の無線電話機００８ａと物理番号＃０１６の有線電話機００６ａが併設登録されているので、無線電話機００８ａからの無線イベントフォーマット１１２は前記ｓｔｅｐ１０２にて変換処理が行われる。この変換処理により無線イベントフォーマット１１２は有線イベントフォーマット１１１と同一形式に変換され、無線イベントフォーマット１１３のようになる。このように有線イベントフォーマット１１１と変換後の無線イベントフォーマット１１３は同一となるので、主制御手段００４は無線電話機００８ａがオフフックしたにも関わらず、前記情報を有線電話機００６ａからのオフフック情報として受信し処理する。
【００２９】
このようにオフフック情報が受信処理されると、内線ポート状態記憶手段００９における内線ポートの現在の状態をチェック（図６：ｓｔｅｐ１０３）し、それまでの当該内線ポートの状態がオンフック状態であるならば通常のオフフック状態移行処理（ｓｔｅｐ１０５）を実行する。オフフック状態移行処理では、主制御手段００４の指示により、通話路手段００３は無線電話機００８ａとダイヤルトーン音源０２１とを結ぶためのポイントを接続する。
【００３０】
次に、無線内線インターフェース部００７を介して、無線電話機００８ａをオフフック状態とし、内線ポート状態記憶手段００９に当該内線ポートがオフフック状態になったことを示す情報を記憶する。前記内線ポート状態が既にオフフック中（併設登録の有線電話機００６ａがオフフック）ならば、前記無線電話機オフフック情報は無視される（ｓｔｅｐ１０４）。
【００３１】
（実施の形態２）
図７において、２００は本発明の実施の形態２における電話交換機の制御機能ブロック図を示す。本実施の形態２における電話交換機２００は、前実施の形態の電話交換機１００に、操作した電話機の種別が何であるかを判別する操作電話機種別判別手段２０１が加わっている。すなわち本実施の形態の制御部０１０の中に、内線ポート状態記憶手段００９、無線内線情報変換手段１０１、操作電話機種別判別手段２０１が設けられている。他の部分については前実施の形態１の電話交換機１００とほぼ同様な構成であるため、同一の符号を付し、詳細な説明は省略する。
【００３２】
このように操作電話機種別判別手段２０１を設けたことにより、併設登録関係にある有線電話機と無線電話機において、併設登録他者電話機が操作中であるときに併設登録自者電話機が操作しようとしたときには、併設登録他者が操作中であることを通知することができる。
【００３３】
図９は併設登録された内線ポートの内線電話機がオフフックした通知する動作を示すフローチャートである。
【００３４】
図７および図９において、併設登録された内線ポートの有線電話機００６ａがオフフック（図９：ｓｔｅｐ２０１）した場合、有線電話機００６ａからのオフフック情報は有線内線インターフェース部００５を経由し、通話用線を通して、主制御手段００４に送られる。主制御手段００４は内線ポート状態記憶手段００９における内線ポートの現在の状態をチェック（ｓｔｅｐ２０３）し、それまでの当該内線ポートの状態がオンフック状態であるならば通常のオフフック状態移行処理（ｓｔｅｐ２０７）を実行する。オフフック状態移行処理では、主制御手段００４の指示により、通話路手段００３は有線電話機００６ａとダイヤルトーン音源０２１とを結ぶためのポイントを接続する。
【００３５】
次に、有線内線インターフェース部００５を介して、有線電話機００６ａをオフフック状態とし、内線ポート状態記憶手段００９に当該内線ポートがオフフック状態になったことを示す情報を記憶する。
【００３６】
この時、前記内線ポート状態が既にオフフック中（併設登録の無線電話機００８ａがオフフック）ならば、操作電話機種別判別手段２０１により内線電話機情報に付加された電話機種別フラグをチェックし、前記情報が有線電話機００６ａからか無線電話機００８ａからかを判別する（ｓｔｅｐ２０４）。
【００３７】
次に、主制御手段００４の指示により、通話路手段００３は有線電話機００６ａとビジートーン音源０２２とを結ぶためのポイントを接続する。次に、有線内線インターフェース部００５を介して、有線電話機をビジートーン聴取状態とし（ｓｔｅｐ２０６）、内線ポート状態記憶手段００９にビジートーン状態を記憶する。
【００３８】
図８は電話機情報の各イベントフォーマットを示す。操作電話機種別は図８の有線イベントフォーマット２１１，変換後の無線イベントフォーマット２１３の発行者に、電話機種別フラグを付与し、前記電話機種別フラグを主制御手段００４がチェックすることで判別される。
【００３９】
また、併設登録された内線ポートの無線電話機００８ａがオフフック（図９：ｓｔｅｐ２０１）した場合、無線電話機００８ａからのオフフック情報は無線内線インターフェース部００７を経由し、通話用線を通して、主制御手段００４に送られる。主制御手段００４は内線ポート状態記憶手段００９における内線ポートの現在の状態をチェック（ｓｔｅｐ２０３）し、それまでの当該内線ポートの状態がオンフック状態であるならば通常のオフフック状態移行処理（ｓｔｅｐ２０７）を実行する。オフフック状態移行処理では、主制御手段００４の指示により、通話路手段００３は有線電話機００６ａとダイヤルトーン音源０２１とを結ぶためのポイントを接続する。
【００４０】
次に、無線内線インターフェース部００７を介して、無線電話機００８ａをオフフック状態とし、内線ポート状態記憶手段００９に当該内線ポートがオフフック状態になったことを示す情報を記憶する。
【００４１】
この時、前記内線ポート状態が既にオフフック中（併設登録の有線電話機００６ａがオフフック）ならば、操作電話機種別判別手段２０１により内線電話機情報に付加された電話機種別フラグをチェックし、前記情報が有線電話機００６ａからか無線電話機００８ａからかを判別する（ｓｔｅｐ２０４）。
【００４２】
次に、主制御手段００４の指示により、通話路手段００３は無線電話機００８ａとビジートーン音源０２２とを結ぶためのポイントを接続する。次に、無線内線インターフェース部００７を介して、無線電話機をビジートーン聴取状態とし（ｓｔｅｐ２０５）、内線ポート状態記憶手段００９にビジートーン状態を記憶する。
【００４３】
以上のような構成により、併設登録された内線ポートの内線電話機がオフフックした際に、併設登録他者が既に使用しているならばその情報を内線電話機上に表示することが出来る。
【００４４】
（実施の形態３）
図１０において、３００は本発明の実施の形態３における電話交換機の制御機能ブロック図を示す。本実施の形態３における電話交換機３００は、前実施の形態２の電話交換機２００に、有線電話機００６と無線電話機（００８ａ，００８ｂ〜）が併設登録されている内線ポートの状態がオフフック中であるときにどちらの電話機がオフフックしているかを記憶しておく使用中電話機種別記憶手段３０１と、使用中の内線電話機が使用している通話路を記憶しておく使用中通話路記憶手段３０２とが加わっている。すなわち本実施の形態の制御部０１０の中に、内線ポート状態記憶手段００９、無線内線情報変換手段１０１、操作電話機種別判別手段２０１、使用中電話機種別記憶手段３０１、使用中通話路記憶手段３０２が設けられている。他の部分については前実施の形態２の電話交換機とほぼ同様な構成であるため、同一の符号を付し、詳細な説明は省略する。
【００４５】
このように使用中電話機種別記憶手段３０１と使用中通話路記憶手段３０２とを加えたことにより、併設登録関係にある有線電話機００６ａと無線電話機００８ａにおいて、併設登録他者電話機が操作中であるときに併設登録自者電話機が操作しようとしたときには、併設登録他者の通話に割り込むことができ、その後の通話中に併設登録のどちらか一方がオンフックしても、もう片方がオフフックしていれば、その通話を保持することができる。
【００４６】
図１２（ａ）は併設登録他者が既に使用していた場合にその通話に割り込む動作を示すフローチャート、図１２（ｂ）は内線者の両方がオンフックした際にのみ通話切断する動作を示すフローチャートである。
【００４７】
図１０，図１２（ａ），図１２（ｂ）において、併設登録された内線ポートの有線電話機００６ａがオフフック（図１２（ａ）：ｓｔｅｐ３０１）した場合、有線電話機００６ａからのオフフック情報は有線内線インターフェース部００５を経由し、通話用線を通して、主制御手段００４に送られる。主制御手段００４は内線ポート状態記憶手段００９における内線ポートの現在の状態をチェック（ｓｔｅｐ３０３）し、それまでの当該内線ポートの状態がオンフック状態であるならば使用中電話機種別記憶手段３０１に有線電話機フラグをセット（ｓｔｅｐ３０８）し、通常のオフフック状態移行処理（ｓｔｅｐ３０７）を実行する。オフフック状態移行処理では、主制御手段００４の指示により、通話路手段００３は有線電話機００６ａとダイヤルトーン音源０２１とを結ぶためのポイントを接続する。
【００４８】
次に、有線内線インターフェース部００５を介して、有線電話機００６ａをオフフック状態とし、内線ポート状態記憶手段００９に当該内線ポートがオフフック状態になったことを示す情報を記憶する。前記内線ポートの状態が既にオフフック中（併設登録の無線電話機００８ａがオフフック）ならば、操作電話機種別判別手段２０１により内線電話機情報に付加された電話機種別フラグをチェックし、前記情報が有線電話機００６ａからか無線電話機００８ａからかを判別する（ｓｔｅｐ３０４）。
【００４９】
次に、主制御手段００４の指示により通話路手段００３は使用中通話路記憶手段３０２に記憶されている無線電話機００８ａが使用している通話路と有線電話機００６ａを接続する。たとえば、図１１の通話路手段接続図のように、無線電話機００８ａが局線と通話しているとき、クロスポイント３１２がオンされている。このとき有線電話機００６ａがオフフックすると、クロスポイント３１１がオンされ、無線電話機００８ａと有線電話機００６ａと局線００１が３者通話中となる。
【００５０】
次に、有線内線インターフェース部００５を介して、有線電話機をオフフック状態とし（図１２（ａ）：ｓｔｅｐ３０６）、内線ポート状態記憶手段００９に当該内線ポートがオフフック状態になったことを示す情報を記憶する。オフフック中の有線電話機００６ａがオンフック（図１２（ｂ）：ｓｔｅｐ３１０）した場合、使用中電話機種別記憶手段３０１の有線電話機種別フラグをクリア（ｓｔｅｐ３１２）し、主制御手段００４の指示により、通話路手段００３は有線電話機００６ａが使用していた通話路のみを解放（ｓｔｅｐ３１３）する。
【００５１】
次に、使用中電話機種別記憶手段３０１をチェックし、併設登録内線ポートの両内線がオンフックしているかを確認（ｓｔｅｐ３１４）する。両内線がオンフックしていなければ何もせず（ｓｔｅｐ３１６）、両内線がオンフックしていれば主制御手段００４は有線内線インターフェース部００５を介して、有線電話機００６ａをオンフック状態へと移行させ（ｓｔｅｐ３１５）、内線ポート状態記憶手段００９にオンフック状態を記憶する。
【００５２】
また、併設登録された内線ポートの無線電話機００８ａがオフフック（図１２（ａ）：ｓｔｅｐ３０１）した場合、無線電話機００８ａからのオフフック情報は無線内線インターフェース部００７を経由し、通話用線を通して、主制御手段００４に送られる。主制御手段００４は内線ポート状態記憶手段００９における内線ポートの現在の状態をチェック（ｓｔｅｐ３０３）し、それまでの当該内線ポートの状態がオフフック状態であるならば使用中電話機種別記憶手段３０１に無線電話機フラグをセット（ｓｔｅｐ３０８）し、通常のオフフック状態移行処理（ｓｔｅｐ３０７）を実行する。オフフック状態移行処理では、主制御手段００４の指示により、通話路手段００３は無線電話機００８ａとダイヤルトーン音源０２１とを結ぶためのポイントを接続する。
【００５３】
次に、無線内線インターフェース部００７を介して、無線電話機００８ａをオフフック状態とし、内線ポート状態記憶手段００９に当該内線ポートがオフフック状態になったことを示す情報を記憶する。前記内線ポート状態が既にオフフック中（併設登録の有線電話機００６ａがオフフック）ならば、操作電話機種別判別手段２０１により内線電話機情報に付加された電話機種別フラグをチェックし、前記情報が有線電話機００６ａからか無線電話機００８ａからかを判別する（ｓｔｅｐ３０４）。次に、主制御手段００４の指示により、通話路手段００３は使用中通話路記憶手段３０２に記憶されている有線電話機００６ａが使用している通話路と無線電話機００８ａを接続する。
【００５４】
次に、無線内線インターフェース部００７を介して、無線電話機をオフフック状態とし（ｓｔｅｐ３０５）、内線ポート状態記憶手段００９に当該内線ポートがオフフック状態になったことを示す情報を記憶する。オフフック中の無線電話機（００８ａ，００８ｂ〜）がオンフック（図１２（ｂ）：ｓｔｅｐ３１０）した場合、使用中電話機種別記憶手段３０１の無線電話機種別フラグをクリア（ｓｔｅｐ３１２）し、主制御手段００４の指示により、通話路手段００３は無線電話機（００８ａ，００８ｂ〜）が使用していた通話路のみを解放（ｓｔｅｐ３１３）する。
【００５５】
次に、使用中電話機種別記憶手段３０１をチェックし、併設登録内線ポートの両内線がオンフックしているかを確認（図１２（ｂ）：ｓｔｅｐ３１４）する。両内線がオンフックしていなければ何もせず（ｓｔｅｐ３１６）、両内線がオンフックしていれば主制御手段００４は無線内線インターフェース部００７を介して、無線電話機（００８ａ，００８ｂ〜）をオンフック状態へと移行させ（ｓｔｅｐ３１５）、内線ポート状態記憶手段００９にオンフック状態を記憶する。
【００５６】
以上のような構成により、併設登録された内線ポートの内線電話機がオフフックした際、併設登録他者が既に使用していた場合でも併設登録他者の通話に割り込むことができ、その後の通話中に併設登録のどちらか一方がオンフックしても、もう片方がオフフックしていれば、その通話を保持することができる。
【００５７】
（実施の形態４）
図１３において、４００は本発明の実施の形態４における電話交換機の制御機能ブロック図を示す。本実施の形態４における電話交換機４００は、前実施の形態３の電話交換機３００に、呼び出し先の内線ポートが併設登録されている場合に同時呼び出しを行うか否かを記憶しておく同時呼出設定手段４０１が加わっている。すなわち本実施の形態の制御部０１０の中に、内線ポート状態記憶手段００９、無線内線情報変換手段１０１、操作電話機種別判別手段２０１、使用中電話機種別記憶手段３０１、使用中通話路記憶手段３０２、同時呼出設定手段４０１が設けられている。他の部分については前実施の形態３の電話交換機とほぼ同様な構成であるため、同一の符号を付し、詳細な説明は省略する。
【００５８】
このように同時呼出設定手段４０１を設けるとともに、併設登録関係にある有線電話機と無線電話機の一方に着信があった場合、同時呼出設定手段４０１にて当該内線について同時呼出が設定されているならば他方の電話機にも呼び出し信号を送出するように制御する。これにより、併設登録関係にある有線電話機と無線電話機を同時に両方呼び出すことが出来る。
【００５９】
図１４は、併設登録された内線ポートの有線電話機と無線電話機を同時に両方呼び出す動作を示すフローチャートである。
【００６０】
図１３および図１４において、併設登録された内線ポートの有線電話機００６ａが同一内線ポートの無線電話機００８ａを呼び出すためにダイヤル（図１４：ｓｔｅｐ４０１）した時、有線電話機００６ａからの内線ダイヤル番号の情報は有線内線インターフェース部００５を経由し、通話用線を通して、主制御手段００４に送られる。主制御手段００４は前記内線ダイヤル番号の情報から図２のテーブルに基づいて内線ポートを求め、得られた内線ポートが併設登録されているか否かを図３の併設登録テーブルから得る（ｓｔｅｐ４０３）。
【００６１】
ここで呼出先内線が併設登録されているならば、同時呼出設定手段４０１によって同時呼び出しが設定されているか否かを判別する。同時呼び出しが設定されているならば、主制御手段００４は無線内線インターフェース部００７を介して、無線電話機を内線着信状態に設定（ｓｔｅｐ４０５）と同時に、有線内線インターフェース部００５を介して、有線電話機を内線着信状態に設定（ｓｔｅｐ４０５）する。
【００６２】
呼出先の内線が併設登録でないならば、主制御手段００４は無線内線インターフェース部００７を介して無線電話機を内線着信状態に設定（ｓｔｅｐ４０４）するか、または有線内線インターフェース部００５を介して有線電話機を内線着信状態に設定（ｓｔｅｐ４０４）する処理を行う。
【００６３】
尚、併設登録された内線の一方の有線電話機００６ａが同一内線の他方の無線電話機００８ａを呼び出し、併設登録された有線電話機と無線電話機との間で通話することも可能である。すなわち、一方の有線電話機００６ａが同一内線の他方の無線電話機００８ａを呼び出すためにダイヤル（ｓｔｅｐ４０１）した時は、主制御手段００４は前記内線ダイヤル番号の情報からもとめた内線が併設登録されているか否かを図３の併設登録テーブルから判別し、たとえ同時呼出設定手段４０１によって同時呼び出しが設定されていてもこの場合にはそれを無視し、無線電話機００８ａのみを呼び出す。
【００６４】
（実施の形態５）
図１５において、５００は本発明の実施の形態５における電話交換機の制御機能ブロック図を示す。本実施の形態における電話交換機５００は、前実施の形態の電話交換機４００に、呼び出し先の電話機が有線電話機か無線電話機かを判別する呼出先電話機種別判別手段５０１が加わっている。すなわち本実施の形態の制御部０１０の中に、内線ポート状態記憶手段００９、無線内線情報変換手段１０１、操作電話機種別判別手段２０１、使用中電話機種別記憶手段３０１、使用中通話路記憶手段３０２、同時呼出設定手段４０１、呼出先電話機種別判別手段５０１が設けられている。他の部分については前実施の形態の電話交換機とほぼ同様な構成であるため、同一の符号を付し、詳細な説明は省略する。
【００６５】
呼出先電話機種別判別手段５０１には図１６に示すように、通常呼び出しのための内線ダイヤル番号と共に、有線電話機呼出用の内線ダイヤル番号と無線電話機呼出用の内線ダイヤル番号が関連付けて登録されている。
【００６６】
このように呼出先電話機種別判別手段５０１を設けたことにより、併設登録関係にある有線電話機と無線電話機において、発呼者から送られてきた内線ダイヤル番号が有線電話機呼出用であるかまたは無線電話機呼出用であるかを判別することにより、その内線ポートの有線電話機と無線電話機を個別に呼び出すことが出来る。
【００６７】
図１７は、併設登録された内線ポートの有線電話機と無線電話機を個別に呼び出す動作を示すフローチャートである。
【００６８】
図１５および図１７において、併設登録された内線ポートの有線電話機００６ａが同一内線ポートの無線電話機００８ａを呼び出すためにダイヤル（図１７：ｓｔｅｐ５０１）した時、有線電話機００６ａからの内線ダイヤル番号の情報は有線内線インターフェース部００５を経由し、通話用線を通して、主制御手段００４に送られる。主制御手段００４は前記内線ダイヤル番号の情報を呼出先電話機種別判別手段５０１に送り、呼出先の内線電話機が有線電話機か無線電話機かを判別する。例えば呼出先が無線電話機００８ａならば主制御手段００４は無線内線インターフェース部００７を介して、無線電話機００８ａを内線着信状態に設定（ｓｔｅｐ５０５）する。
【００６９】
また、併設登録された内線ポートの無線電話機００８ａが同一内線ポートの有線電話機００６ａを呼び出すためにダイヤル（ｓｔｅｐ５０１）した時、無線電話機００８ａからの内線ダイヤル番号の情報は無線内線インターフェース部００７を経由し、主制御手段００４に送られる。主制御手段００４は前記内線ダイヤル番号の情報を呼出先電話機種別判別手段５０１に送り、呼出先の内線電話機が有線電話機か無線電話機かを決定する。図１６に示す設定に基づいて、呼出先が有線電話機ならば主制御手段００４は有線内線インターフェース部００５を介して、有線電話機を内線着信状態に設定（ｓｔｅｐ５０４）する。
【００７０】
【発明の効果】
以上説明したように、本発明によって以下の動作が可能となる。すなわち第１の発明により、併設登録関係にある有線電話機と無線電話機において、一方の内線ダイヤル番号を指定するだけでどちらの電話機でも動作できるようにすることができる。これにより、机上では有線電話機を使用し、離席する場合には無線電話機を使用するといった使い方が可能となる。また、内線ポート１つで、秘書には有線電話機で電話交換業務を行わせ、ボスは重要な電話だけをいつでも秘書からの転送により無線電話機で応答することが可能となる。
【００７１】
また第２の発明により、併設登録関係にある有線電話機と無線電話機において、併設登録他者電話機が操作中であるときに併設登録自者電話機が操作しようとしたときには、併設登録他者が操作中であることを通知できる。これにより、併設登録の内線者が何らかの操作を使用としたときに、併設登録他者が既に使用中である場合は、それを瞬時に知ることが出来るので、ビジー通知後は無駄な操作を止めることが出来る。
【００７２】
また第３の発明により、併設登録関係にある有線電話機と無線電話機において、併設登録他者電話機が操作中であるときに併設登録自者電話機が操作しようとしたときには、併設登録他者の通話に割り込むことができ、その後の通話中に併設登録のどちらか一方がオンフックしても、もう片方がオフフックしていれば、その通話を保持できる。これにより、併設登録中で緊急でどうしても電話を使用したい場合に、併設登録他者が使用中でもその通話に割り込み、”緊急の電話なので使わせて欲しい”とお願いすることで、緊急の電話がかけられないということはなくなる。また、併設登録中の無線電話機が行っている通話を、有線電話機でオフフックしてもらい、続いて無線電話機をオンフックするだけで、容易に通話の転送が行える。
【００７３】
第４の発明により、併設登録関係にある有線電話機と無線電話機において、その内線ポートの有線電話機と無線電話機を同時に両方呼び出せる。これにより、１つの内線ポートを２つの作業室でそれぞれ使用している時、２つの作業室を一斉に呼び出すことが出来る。
【００７４】
第５の発明により、併設登録関係にある有線電話機と無線電話機において、その内線ポートの有線電話機と無線電話機をそれぞれ個別に呼び出せる。これにより、１つの内線ポートをあたかも２つの内線ポートが存在するかのように、内線呼出を行うことが出来る。
【図面の簡単な説明】
【図１】本発明の実施の形態１における電話交換機のブロック図
【図２】本発明の実施の形態１における電話交換機の内線物理番号と内線ダイヤル番号との対応を示すテーブルの説明図
【図３】本発明の実施の形態１における電話交換機の無線内線物理番号に関連づけて有線内線物理番号を登録した併設登録テーブルの説明図
【図４】本発明の実施の形態１における電話交換機の制御機能ブロック図
【図５】本発明の実施の形態１における電話交換機の電話機情報の各イベントフォーマットを示す説明図
【図６】本発明の実施の形態１における電話交換機の動作を示すフローチャート
【図７】本発明の実施の形態２における電話交換機の制御機能ブロック図
【図８】本発明の実施の形態２における電話交換機の電話機情報の各イベントフォーマットを示す説明図
【図９】本発明の実施の形態２における電話交換機の動作を示すフローチャート
【図１０】本発明の実施の形態３における電話交換機の制御機能ブロック図
【図１１】本発明の実施の形態３における電話交換機の通話路手段接続図
【図１２】本発明の実施の形態３における電話交換機の動作を示すフローチャート
【図１３】本発明の実施の形態４における電話交換機の制御機能ブロック図
【図１４】本発明の実施の形態４における電話交換機の動作を示すフローチャート
【図１５】本発明の実施の形態５における電話交換機の制御機能ブロック図
【図１６】本発明の実施の形態５における電話交換機の呼出先電話機種別判別手段に設定された情報の一の形態を示す説明図
【図１７】本発明の実施の形態５における電話交換機の動作を示すフローチャート
【符号の説明】
１００  電話交換機
００２  局線インターフェース部
００３  通話路手段
００４  主制御手段
００５  有線内線インターフェース部
００６ａ，００６ｂ〜  有線電話機
００７  無線内線インターフェース部
００８ａ，００８ｂ〜  無線電話機
００９  内線ポート状態記憶手段
０１０  制御部
１０１  無線内線情報変換手段
２０１  操作電話機種別判別手段
３０１  使用中電話機種別記憶手段
３０２  使用中通話路記憶手段
４０１  同時呼出設定手段
５０１  呼出先電話機種別判別手段
【図１】
0003608270.tif 000002
【図２】
0003608270.tif 000003
【図３】
0003608270.tif 000004
【図４】
0003608270.tif 000005
【図５】
0003608270.tif 000006
【図６】
0003608270.tif 000007
【図７】
0003608270.tif 000008
【図８】
0003608270.tif 000009
【図９】
0003608270.tif 000010
【図１０】
0003608270.tif 000011
【図１１】
0003608270.tif 000012
【図１２】
0003608270.tif 000013
【図１３】
0003608270.tif 000014
【図１４】
0003608270.tif 000015
【図１５】
0003608270.tif 000016
【図１６】
0003608270.tif 000017
【図１７】
0003608270.tif 000018